(57)【要約】【課題】芯に巻き付けられる台紙の長さが短くすることなく、芯の内径が大きいロールをロール保持機構に装着できるようにする。【解決手段】支柱部３３ａ〜３３ｃは、所定の中心軸を中心とする円筒に内接するよう配置されている。前記円筒は、直径が第二のロールの芯の内径と略等しい。前記中心軸と前記ロール保持機構の軸部の中心との間の距離と、前記軸部の外径との和は、前記円筒の半径以下である。前記中心軸と前記ロール保持機構の外周部との間の距離は、前記軸部と前記外周部との間の距離よりも大きい。【選択図】図４
2020138765.tif 000002
【特許請求の範囲】
【請求項１】
円筒状の芯の周りに長尺状の台紙が巻かれた第一のロールが装着されるロール保持機構に、前記第一のロールよりも前記芯の内径が大きい第二のロールを装着するためのアタッチメントにおいて、
前記ロール保持機構は、略円柱状であり前記第一のロールの前記芯の内径と略等しい外径を有し前記第一のロールの前記芯に挿入される軸部と、前記軸部から径方向に所定の距離以上離れた位置に配置された外周部とを有し、
前記アタッチメントは、
所定の中心軸を中心とする円筒に内接するよう配置された３つ以上の支柱部と、
前記軸部に対して前記外周部とは異なる径方向に所定の距離離れた位置に前記中心軸が位置するよう、前記アタッチメントを前記ロール保持機構に取り付ける取付部と
を備え、
前記円筒は、直径が前記第二のロールの前記芯の内径と略等しく、
前記中心軸と前記軸部の中心との間の距離と、前記軸部の外径との和は、前記円筒の半径以下であり、
前記中心軸と前記外周部との間の距離は、前記軸部と前記外周部との間の距離よりも大きい、
アタッチメント。
【請求項２】
前記中心軸は、前記支柱部が前記円筒に接する点を結んだ多角形の辺上又は内部に位置する、
請求項１のアタッチメント。
【請求項３】
前記ロール保持機構は、前記軸部に取り付けられ、前記第一のロールの軸方向に配置される側面支持部を有し、
前記アタッチメントは、更に、前記側面支持部が取り付けられる第二取付部を備える、
請求項１又は２のアタッチメント。
【請求項４】
前記取付部は、前記軸部に設けられたねじ穴に螺合するねじが通る貫通穴を有する、
請求項１乃至３いずれかのアタッチメント。
【請求項５】
請求項１乃至４いずれかのアタッチメントと、
前記アタッチメントが取り付けられた前記ロール保持機構と、
前記ロールの前記台紙に貼り付けられたラベルを剥がして貼付対象に貼り付けるラベル貼付機構と、
を備える、ラベル貼付装置。
【発明の詳細な説明】
【技術分野】
【０００１】
本発明は、ラベル貼付装置などにおいてロールを保持するロール保持機構に芯の内径が異なるロールを装着できるようにするためのアタッチメントに関する。
【背景技術】
【０００２】
特許文献１は、ラベル貼着装置を開示している。前記ラベル貼着装置は、多数のラベルが貼着された台紙が芯の周りに巻き付けられたロールを軸部に装着して使用する。軸部の外径は、芯の内径と概ね等しい。
【先行技術文献】
【特許文献】
【０００３】
【特許文献１】特開２０１１−０８８６６９号公報
【発明の概要】
【発明が解決しようとする課題】
【０００４】
前記ラベル貼着装置において、芯の内径が異なるロールを使用したい場合は、アタッチメントを使用すればよい。前記アタッチメントは、例えば、円柱状であり、内径が軸部の外径と概ね等しい貫通孔が中心軸に沿って設けられている。前記アタッチメントを軸部に取り付けることにより、芯の内径がアタッチメントの外径とほぼ等しいロールを、前記ラベル貼着装置に装着することができる。
しかし、前記ラベル貼着装置に装着できるロールの外径は、変わらない。したがって、芯の内径が大きくなった分、芯に巻き付けられる台紙の長さが短くなる。このため、一つのロールに貼着できるラベルの数が少なくなる。
【課題を解決するための手段】
【０００５】
アタッチメントは、円筒状の芯の周りに長尺状の台紙が巻かれた第一のロールが装着されるロール保持機構に、前記第一のロールよりも前記芯の内径が大きい第二のロールを装着する。前記ロール保持機構は、略円柱状であり前記第一のロールの前記芯の内径と略等しい外径を有し前記第一のロールの前記芯に挿入される軸部と、前記軸部から径方向に所定の距離以上離れた位置に配置された外周部とを有する。前記アタッチメントは、所定の中心軸を中心とする円筒に内接するよう配置された３つ以上の支柱部と、前記軸部に対して前記外周部とは異なる径方向に所定の距離離れた位置に前記中心軸が位置するよう、前記アタッチメントを前記ロール保持機構に取り付ける取付部とを備える。前記円筒は、直径が前記第二のロールの前記芯の内径と略等しい。前記中心軸と前記軸部の中心との間の距離と、前記軸部の外径との和は、前記円筒の半径以下である。前記中心軸と前記外周部との間の距離は、前記軸部と前記外周部との間の距離よりも大きい。
前記中心軸は、前記支柱部が前記円筒に接する点を結んだ多角形の辺上又は内部に位置してもよい。
前記ロール保持機構は、前記軸部に取り付けられ前記第一のロールの軸方向に配置される側面支持部を有してもよい。前記アタッチメントは、更に、前記側面支持部が取り付けられる第二取付部を備えてもよい。
前記取付部は、前記軸部に設けられたねじ穴に螺合するねじが通る貫通穴を有してもよい。
ラベル貼付装置は、前記アタッチメントと、前記アタッチメントが取り付けられた前記ロール保持機構と、前記ロールの前記台紙に貼り付けられたラベルを剥がして貼付対象に貼り付けるラベル貼付機構とを備えてもよい。
【発明の効果】
【０００６】
支柱部が内接する円筒の中心軸と外周部との間の距離が、軸部と外周部との間の距離より大きいので、第一のロールよりも外径が大きい第二のロールを装着することができる。
前記支柱部が前記円筒に接する点を結んだ多角形の辺上又は内部に中心軸が位置すれば、第二のロールを安定して保持できる。
第二取付部を設ければ、側面支持部を取り付けられるので、ロールが軸方向に移動し又は外れるのを防ぐことができる。
【図面の簡単な説明】
【０００７】
【図１】ラベル貼付装置の一例を示す斜視図。
【図２】前記ラベル貼付装置にロールを装着したところを示す図。
【図３】アタッチメントの一例を示す斜視図。
【図４】前記アタッチメントを示す斜視図。
【図５】前記ラベル貼付装置に前記アタッチメントを取り付けたところを示す斜視図。
【図６】前記アタッチメントを取り付けた前記ラベル貼付装置にロールを装着したところを示す図。
【発明を実施するための形態】
【０００８】
図１，２に示すラベル貼付装置１０は、ラベルを貼付対象物に貼り付けるために使用される手持式の装置である。ラベルは、ロールの形で供給される。ロール８０ａは、円筒状の芯８１と、芯８１の周りに巻き付けられた長尺状の台紙８２と、台紙８２に貼り付けられた多数のラベルとを有する。ラベル貼付装置１０は、ロール８０ａから台紙８２を引き出して、引き出した台紙８２からラベルを剥がし、剥がしたラベルを貼付対象物に貼り付ける。
【０００９】
図１に示すとおり、ラベル貼付装置１０は、例えば、ラベル貼付機構１１と、ロール保持機構１２とを有する。ロール８０ａは、ロール保持機構１２に装着されて保持される。ラベル貼付機構１１は、ロール保持機構１２に装着されたロール８０ａから台紙８２を引き出し、ラベルを剥がして、貼付対象物に貼り付ける。
【００１０】
ロール保持機構１２は、例えば、軸部２１と、外周部２２と、固定側面支持部２３と、側面支持部２４とを有する。軸部２１は、概ね円柱状である。外周部２２は、軸部２１から径方向に離れた位置に配置されている。固定側面支持部２３は、軸部２１に対して軸方向に配置され、軸部２１の軸方向に対して概ね垂直な平板状である。側面支持部２４は、軸部２１に対して、固定側面支持部２３とは反対側の軸方向に着脱可能に配置される。
【００１１】
図２に示すとおり、軸部２１の外径Ｄ２１は、ロール８０ａの芯８１の内径Ｄａ１と概ね等しく、ロール８０ａは、軸部２１を中心として回転可能に保持される。ロール保持機構１２に装着できるロール８０ａの外径Ｄａ２の最大値は、外周部２２によって定まる。すなわち、軸部２１と外周部２２との間の距離Ｌ１の最小値よりも外径Ｄａ２が大きいロール８０ａは、ロール保持機構１２に装着できない。したがって、ロール８０ａには、外径Ｄａ２が距離Ｌ１の最小値に達するまで、台紙８２を巻きつけることができる。
【００１２】
ロール保持機構１２にロール８０ａを装着するときは、側面支持部２４を外し、ロール８０ａの芯８１に軸部２１を挿入する。その後、側面支持部２４を取り付けることにより、固定側面支持部２３と側面支持部２４とで、ロール８０ａを側面から挟んで支持し、ロール８０ａが軸部２１の軸方向に移動し又は外れるのを防ぐ。
【００１３】
図３〜６に示すアタッチメント３０は、ラベル貼付装置１０に取り付けて使用され、前記ロール８０ａと比べて芯８１の内径が大きいロール８０ｂを装着できるようにする。
【００１４】
図３，４に示すとおり、アタッチメント３０は、例えば、側板部３１と、取付部３２と、支柱部３３ａ〜３３ｃと、補強部３４ａ〜３４ｃと、第二取付部３５とを有する。
側板部３１は、略平板状であり、円板部３１１から、下方向へ向けて脚部３１２，３１３が延びている。脚部３１２，３１３の下側の縁は、外周部２２に沿った形状であり、アタッチメント３０をラベル貼付装置１０に取り付けたとき、アタッチメント３０を安定させる。脚部３１２，３１３の間に、軸部２１が係合する。
取付部３２は、アタッチメント３０をラベル貼付装置１０に取り付けるためのものであり、支持部３２１と、挟持部３２２とを有する。支持部３２１は、側板部３１から概ね垂直に立ち上がり、挟持部３２２を支持している。挟持部３２２は、側板部３１と概ね平行な平板状であり、貫通穴３２３が概ね垂直に貫通している。挟持部３２２と側板部３１との間の距離は、固定側面支持部２３の厚さと概ね等しく、脚部３１２，脚部３１３と、挟持部３２２とで、固定側面支持部２３を挟持する。貫通穴３２３には、雄ねじ４０が挿通される。貫通穴３２３に挿通された雄ねじ４０は、固定側面支持部２３を貫通するねじ穴２１１に外側から螺合し、これにより、アタッチメント３０をラベル貼付装置１０に固定する。なお、アタッチメント３０をラベル貼付装置１０に固定する方式は、ねじ固定に限らず、他の方式であってもよい。
【００１５】
第二取付部３５は、概ね円柱状であり、円板部３１１の中心から、取付部３２とは反対の方向へ向けて、円板部３１１に対して概ね垂直に延びている。第二取付部３５には、側面支持部２４を取り付けることができる。そのため、第二取付部３５の先端は、例えば、軸部２１と概ね等しい形状である。これにより、ロール８０ｂが軸方向に移動し又は外れるのを防ぐ。なお、アタッチメント３０を取り付けた状態でも、軸部２１に側面支持部２４を取り付けられる場合には、側面支持部２４を軸部２１に取り付けてもよく、その場合、第二取付部３５はなくてもよい。
【００１６】
支柱部３３ａ〜３３ｃは、概ね円柱状であり、円板部３１１の中心から所定の距離離れた位置から、第二取付部３５と同じ方向へ向けて、円板部３１１に対して概ね垂直に延びている。円板部３１１の中心から見て、支柱部３３ｂは、支柱部３３ａに対して９０度異なる方向に位置し、支柱部３３ｃは、支柱部３３ｂとは反対側で、やはり、支柱部３３ａに対して９０度異なる方向に位置する。支柱部３３ａ〜３３ｃは、協働して、ロール８０ｂの芯８１を回転可能に支持する。そのため、支柱部３３ａ〜３３ｃは、円板部３１１の中心軸を中心とする円筒に内接している。
補強部３４ａ〜３４ｃは、対応する支柱部３３ａ〜３３ｃと第二取付部３５との間に設けられ、側板部３１に対して概ね垂直な平板状である。補強部３４ａ〜３４ｃは、支柱部３３ａ〜３３ｃが曲がったり倒れたりしないよう支持する。
【００１７】
図６に示すとおり、ロール８０ｂの芯８１の内径Ｄｂ１は、ロール８０ａの芯８１の内径Ｄａ１よりも大きく、支柱部３３ａ〜３３ｃが内接する円筒の直径Ｄ３３と概ね等しい。これにより、ロール８０ｂは、前記円筒の中心軸を中心として回転可能に支持される。
前記中心軸は、軸部２１に対して外周部２２とは異なる方向に位置する。したがって、前記中心軸は、軸部２１よりも外周部２２から遠く離れている。すなわち、前記中心軸と外周部２２との間の距離Ｌ２の最小値は、軸部２１と外周部２２との間の距離Ｌ１の最小値よりも大きい。これにより、ロール８０ｂには、外径Ｄｂ２が距離Ｌ２の最小値に達するまで、台紙８２を巻き付けることができる。
【００１８】
中心軸の位置を変えずに、軸部２１の外径を大きくするだけのアタッチメントを使用した場合、ロール８０ｂには、外径Ｄｂ２が距離Ｌ２の最小値に達するまでしか、台紙８２を巻き付けることができない。したがって、ロール８０ａと比べて巻き付けられる台紙８２の長さが短くなり、ロール８０ｂに貼着できるラベルの数が減る。
【００１９】
これに対し、アタッチメント３０を使用すれば、ロール８０ｂに、外径Ｄｂ２が距離Ｌ２の最小値に達するまで、台紙８２を巻き付けることができる。したがって、巻き付けられる台紙８２の長さが短くなるのを緩和し若しくは防止し、又は、逆に長くすることができる。これにより、ロール８０ｂに貼着できるラベルの数が減るのを緩和し若しくは防止し、又は、逆に増やすことができる。
【００２０】
なお、支柱部の形状は、円柱状に限らず、半円柱状など、前記円筒に内接する滑らかな曲面を外側に有する形状であればよい。支柱部の数は、３つに限らず、４つ以上であってもよい。ロール８０ｂのがたつきを防ぐため、支柱部が前記円筒に内接する点を結んだ多角形の辺上又は内部に前記中心軸があることが好ましい。これにより、ロール８０ｂを安定して保持できる。なお、前記円筒に軸部２１が内接する場合には、軸部２１も含めて前記円筒に内接する点を結んだ多角形の辺上又は内部に前記中心軸があればよい。また、支柱部（及び軸部２１）が前記円筒に内接する点を結んだ多角形よりも下に前記中心軸があっても、重力により、又は、ラベル貼付機構１１がロール８０ｂから台紙８２を引き出すことにより、ロール８０ｂを下方向に引っ張る力が働くので、ある程度は、ロール８０ｂを安定して保持できる。
また、前記中心軸は、円板部３１１の中心を通らなくてもよいし、円板部３１１は、円板状でなくてもよい。
【００２１】
ロール８０ｂの芯８１の内径Ｄｂ１と概ね等しい外径を有する軸部でロール８０ｂを支持した場合、芯８１と軸部との間の接触面積が大きく、摩擦が大きいので、軸部自体が回転しないと、ロール８０ｂを滑らかに回転させることができず、ラベル貼付機構１１の動作に支障を来たすおそれがある。しかし、軸部の中心軸から離れた位置に軸部２１が存在するので、軸部自体を回転可能に構成することは難しい。
【００２２】
これに対し、複数の支柱部でロール８０ｂを支持すれば、芯８１と支柱部との間の接触面積が小さくなる。摩擦が小さいので、支柱部が回転しなくても、ロール８０ｂを滑らかに回転させることができるので、ラベル貼付機構１１を安定して動作させることができる。
【００２３】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００２４】
１０  ラベル貼付装置、１１  ラベル貼付機構、１２  ロール保持機構、２１  軸部、２１１  ねじ穴、２２  外周部、２３  固定側面支持部、２４  側面支持部、３０  アタッチメント、３１  側板部、３１１  円板部、３１２，３１３  脚部、３２  取付部、３２１  支持部、３２２  挟持部、３２３  貫通穴、３３ａ〜３３ｃ  支柱部、３４ａ〜３４ｃ  補強部、３５  第二取付部、４０  雄ねじ、８０ａ，８０ｂ  ロール、８１  芯、８２  台紙、Ｄａ１，Ｄｂ１  内径、Ｄ２１，Ｄａ２，Ｄｂ２  外径、Ｄ３３  直径、Ｌ１，Ｌ２  距離。
【図１】
2020138765.tif 000003
【図２】
2020138765.tif 000004
【図３】
2020138765.tif 000005
【図４】
2020138765.tif 000006
【図５】
2020138765.tif 000007
【図６】
2020138765.tif 000008